(57)【要約】【課題】本発明は、収納されている品物を取り出す際に他の品物が外部の空気に触れることを抑制できる断熱容器を提供することを目的とする。【解決手段】本発明に係る断熱容器は、外側容器１と、内側容器２と、を備えている。外側容器１は、上面に形成された上面開口を有する。内側容器２は、側面に形成された側面開口を有し、外側容器１の内壁によって側面開口が塞がれた状態で外側容器１に収納される。内側容器２は、側面開口が形成された側面が外側容器１の内壁に接した状態で上面開口を介して外側容器１から引き出される。【選択図】図２
2017088177.tif 000002
【特許請求の範囲】
【請求項１】
上面に形成された上面開口を有する外側容器と、
側面に形成された側面開口を有し、前記外側容器の内壁によって前記側面開口が塞がれた状態で前記外側容器に収納され、前記側面開口が形成された側面が前記外側容器の内壁に接した状態で前記上面開口を介して前記外側容器から引き出される内側容器と、
を備えた断熱容器。
【請求項２】
前記内側容器は、複数設けられ、
前記内側容器の側面のうち前記側面開口が形成されていない側面は、全ての前記内側容器が前記外側容器に収納された状態において、前記外側容器の内壁又は他の前記内側容器の側面に接する請求項１に記載の断熱容器。
【請求項３】
前記内側容器は、上面に開口を有さず、
前記上面開口は、前記内側容器が前記外側容器に収納された状態において、前記内側容器の上面によって塞がれる請求項１又は２に記載の断熱容器。
【請求項４】
前記内側容器には、内部空間を区画する仕切部が設けられた請求項１から３のいずれか１項に記載の断熱容器。
【請求項５】
前記側面開口が形成された側面及び前記仕切部の端部は、前記内側容器が前記外側容器に収納された状態において、前記外側容器の内壁に接する請求項４に記載の断熱容器。
【請求項６】
前記仕切部の熱伝導率は、前記外側容器の熱伝導率よりも高い請求項４又は５に記載の断熱容器。
【請求項７】
前記外側容器及び前記内側容器の少なくとも一方に冷却装置が設けられた請求項１から６のいずれか１項に記載の断熱容器。
【請求項８】
前記外側容器は、底面に取り付けられたキャスター及び側面に取り付けられた肩掛けベルトの少なくとも一方を有する請求項１から７のいずれか１項に記載の断熱容器。
【発明の詳細な説明】
【技術分野】
【０００１】
本発明は、断熱容器に関するものである。
【背景技術】
【０００２】
下記特許文献１には、冷凍庫が記載されている。この冷凍庫は、複数の挿入孔が形成された冷凍室と、挿入孔から冷凍室内へ収納される複数の貯蔵ケースと、を備えている。
【先行技術文献】
【特許文献】
【０００３】
【特許文献１】特開２００５−３０７０３号公報
【発明の概要】
【発明が解決しようとする課題】
【０００４】
特許文献１に記載の冷凍庫から貯蔵ケースが取り出されると、当該貯蔵ケースが挿入されていた挿入孔から冷凍室内へ外部の空気が入り込む。このため、１つの貯蔵ケースを取り出す際に、他の全ての貯蔵ケースも外部の空気に触れることが起こり得る。
【０００５】
本発明は、上記の課題を解決するためになされた。その目的は、収納されている品物を取り出す際に他の品物が外部の空気に触れることを抑制できる断熱容器を提供することである。
【課題を解決するための手段】
【０００６】
本発明に係る断熱容器は、上面に形成された上面開口を有する外側容器と、側面に形成された側面開口を有し、外側容器の内壁によって側面開口が塞がれた状態で外側容器に収納され、側面開口が形成された側面が外側容器の内壁に接した状態で上面開口を介して外側容器から引き出される内側容器と、を備えたものである。
【発明の効果】
【０００７】
本発明に係る断熱容器において、内側容器は、側面開口が形成された側面が外側容器の内壁に接した状態で上面開口を介して外側容器から引き出される。このため、本発明によれば、収納されている品物を取り出す際に他の品物が外部の空気に触れることを抑制できる。
【図面の簡単な説明】
【０００８】
【図１】本発明の実施の形態１における断熱容器の正面図である。
【図２】本発明の実施の形態１における断熱容器の垂直断面図である。
【図３】本発明の実施の形態１における断熱容器の平面図である。
【図４】本発明の実施の形態２における断熱容器の正面図である。
【図５】本発明の実施の形態２における断熱容器の垂直断面図である。
【図６】本発明の実施の形態２における断熱容器の平面図である。
【図７】本発明の実施の形態２における断熱容器の蓋の正面図である。
【図８】本発明の実施の形態２における断熱容器の蓋の断面図である。
【図９】本発明の実施の形態２における断熱容器の蓋の平面図である。
【図１０】本発明の実施の形態３における断熱容器の斜視図である。
【発明を実施するための形態】
【０００９】
添付の図面を参照して、本発明を詳細に説明する。各図では、同一又は相当する部分に同一の符号を付している。重複する説明は、適宜簡略化あるいは省略する。
【００１０】
実施の形態１．
図１は、実施の形態１における断熱容器の正面図である。図２は、実施の形態１における断熱容器の垂直断面図である。図３は、実施の形態１における断熱容器の平面図である。なお、図２は、図１における左右方向から見た断熱容器の垂直断面を示している。
【００１１】
図１から図３に示すように、断熱容器は、外側容器１を備えている。外側容器１は、例えば、外観形状及び内部空間の形状が直方体に形成されている。外側容器１の上面には、上面開口が形成されている。外側容器１の側面及び底面には、開口が形成されていない。外側容器１は、上向きに空気の出入口を有し、横向き及び下向きには空気の出入口を有さない容器である。実施の形態１において、外側容器１は、上面開口を塞ぐ蓋を備えていない。
【００１２】
外側容器１は、断熱性に優れた素材を用いて形成されている。外側容器１は、例えば、真空断熱材を内蔵している。外側容器１は、例えば、少なくとも内側の表面が断熱材で形成されている。
【００１３】
図１から図３に示すように、断熱容器は、内側容器２を備えている。内側容器２は、例えば、外観形状及び内部空間の形状が直方体に形成されている。内側容器２の外側の高さは、例えば、外側容器１の内側の深さと同じである。内側容器２の上面には、取り出し補助具３が設けられている。取り出し補助具３は、例えば、輪状又は突起状等の取っ手である。内側容器２の側面には、側面開口が形成されている。側面開口は、例えば、内側容器２の側面のうち１面だけに形成されている。内側容器２の上面及び底面には、開口が形成されていない。つまり、内側容器２は、横向きに空気の出入口を有し、上向き及び下向きには空気の出入口を有しない容器である。内側容器２は、側面開口を塞ぐ扉を備えていない。
【００１４】
実施の形態１において、断熱容器は、複数の内側容器２を備えている。図１から図３は、一例として、断熱容器が４つの内側容器２を備える場合を示している。
【００１５】
内側容器２は、上面開口を介して外側容器１に出し入れされる。内側容器２が外側容器１に収納されると、内側容器２の側面のうち側面開口が形成された側面全体が、外側容器１の内壁に接した状態となる。内側容器２の側面のうち側面開口が形成された側面は、他の内側容器２の側面に接しない。つまり、内側容器２が外側容器１に収納された状態において、側面開口は、外側容器１の内壁によって塞がれる。
【００１６】
複数の内側容器２が全て外側容器１に収納されると、内側容器２の側面のうち側面開口が形成されていない側面は、外側容器１の内壁又は他の内側容器２の側面に接した状態となる。全ての内側容器２が外側容器１に収納された状態において、内側容器２は、外側容器１の内壁と隙間なく隣接する。全ての内側容器２が外側容器１に収納された状態において、内側容器２は、他の内側容器２と隙間なく隣接する。
【００１７】
内側容器２が外側容器１に収納されると、内側容器２の上面は、外側容器１の上面と同じ高さに位置する。複数の内側容器２が全て外側容器１に収納されると、全ての内側容器２の上面と外側容器１の上面とが同じ高さに位置する。つまり、複数の内側容器２が全て外側容器１に収納されると、内側容器２の上面によって外側容器１の上面開口が塞がれた状態となる。
【００１８】
内側容器２には、品物１００が収納される。品物１００は、内側容器２の内部において、下側から積み重ねられた状態で収納される。
【００１９】
外側容器１に収納されている内側容器２は、取り出し補助具３が引かれると、側面開口を有する側面が外側容器１の内壁に接している状態で、容易に引き出される。取り出し補助具３を引くことにより内側容器２を外側容器１の上面開口の方向へ移動させると、側面開口の一部が露出した状態となる。この状態で、内側容器２の移動方向に対して垂直な方向に品物１００を移動させると、品物１００が取り出される。つまり、断熱容器から品物１００を取り出すには、内側容器２を上面開口から上方に引き出した後、露出した側面開口から品物１００を横にずらせばよい。
【００２０】
図１から図３に示すように、外側容器１には、キャスター４、ストッパー５及び伸縮式取っ手６が設けられている。キャスター４及びストッパー５は、外側容器１の底面に取り付けられている。伸縮式取っ手６は、キャスター４を利用して断熱容器を移動させる際に用いられる。外側容器１とキャスター４との間には、免震装置又は耐震装置として、サスペンション、ダンパー又はゲル状素材等を設けてもよい。以下、キャスター４、ストッパー５及び伸縮式取っ手６を合わせて「キャスター４等」とも呼ぶ。
【００２１】
図１から図３に示すように、外側容器１には、肩掛けベルト７及びクッション８が設けられている。クッション８は、肩掛けベルト７が取り付けられているのと同じ面に取り付けられている。肩掛けベルト７は、断熱容器を背負って運搬する際に用いられる。クッション８は、断熱容器を運搬する人の背中を保護するとともに、品物１００に加わる振動を軽減する。以下、肩掛けベルト７及びクッション８を合わせて「肩掛けベルト７等」とも呼ぶ。
【００２２】
実施の形態１において、外側容器１は、上面に形成された上面開口を有し、側面に開口を有しない。内側容器２は、側面に形成された側面開口を有し、上面に開口を有さず、側面開口が形成された側面全体が外側容器１の内壁に接した状態で外側容器１に収納される。つまり、内側容器２が外側容器１に完全に収納されていれば、外部の空気が内側容器２の内部へ流入すること及び内側容器２の内部の空気が外部へ流出することを最小限に抑えられる。そして、内側容器２は、側面開口が形成された側面が外側容器１の内壁に接した状態で上面開口を介して外側容器１から引き出される。この際に、最も上側に位置する品物１００を露出させるのに必要な移動量だけ内側容器２を引き出すことで、他の品物１００に触れる外部の空気が最小限に抑えられる。このため、実施の形態１によれば、断熱容器に収納されている品物１００を取り出す際に他の品物１００が外部の空気に触れることを抑制することができる。その結果、例えば、冷却された品物１００の取り出しを頻繁に行ったとしても、断熱容器の内部に残っている他の品物１００の温度を低温に維持することができる。
【００２３】
実施の形態１において、内側容器２は、側面開口を塞ぐ扉を有していない。また、外側容器１は、上面開口を塞ぐ蓋を有していない。しかしながら、内側容器２が外側容器１に収納されていれば、側面開口は、外側容器１の内壁によって塞がれた状態となる。また、全ての内側容器２が外側容器１に収納されていれば、上面開口は、内側容器２の上面によって塞がれた状態となる。つまり、実施の形態１によれば、外側容器１を側面開口の扉として併用し、内側容器２を上面開口の蓋として併用することが可能である。このため、より簡単な構成で、断熱容器に収納された品物１００が外部の空気に触れることを抑制できる。
【００２４】
実施の形態１において、内側容器２は、複数設けられている。内側容器２の側面のうち側面開口が形成されていない側面は、全ての内側容器２が外側容器１に収納された状態において、外側容器１の内壁又は他の内側容器２の側面に隙間なく接する。これにより、例えば、外側容器１の内部で内側容器２の位置がずれることを防ぎつつ、内側容器２ごとに異なる種類の品物１００を収納できる。このため、品物１００を整頓して収納するとともに、断熱容器に収納された品物１００が外部の空気に触れることを抑制できる。
【００２５】
実施の形態１において、内側容器２には、内部空間を区画する仕切りが設けられていない。このため、品物１００が自重により内側容器２の下側に集まるので、断熱容器全体の重心が水平方向にずれにくい。さらに、品物１００の形状が直方体等であれば、複数の品物１００の表面を互いに接触させた状態で並べて重ねることが可能である。この場合、断熱容器の内部の上側にある品物１００が取り出される際に、下側にある品物１００が外部の空気に曝される可能性をより低減することができる。
【００２６】
実施の形態１において、外側容器１には、キャスター４、ストッパー５、伸縮式取っ手６、肩掛けベルト７及びクッション８が設けられている。このため、実施の形態１によれば、断熱容器を容易に運搬することが可能となる。その結果、例えば、冷却された品物１００の取り出しを頻繁に行いつつ、他の品物１００を低温状態のまま携帯することができる。
【００２７】
実施の形態１において、外側容器１は、肩掛けベルト７及びクッション８を有していなくともよい。また、外側容器１は、キャスター４、ストッパー５及び伸縮式取っ手６を有していなくともよい。外側容器１がキャスター４等又は肩掛けベルト７等の少なくとも一方を有していれば、断熱容器を容易に運搬することは可能である。
【００２８】
実施の形態１において、外側容器１の上面開口の縁には、内側容器２の上面と接する箇所にパッキンが設けられてもよい。内側容器２の上面には、外側容器１の上面開口の縁と接する箇所にパッキンが設けられてもよい。パッキンは、外側容器１及び内側容器２の双方に設けられてもよい。パッキンは、例えば、ゴム材料又は樹脂材料等で形成される。上記のパッキンが設けられた場合、断熱容器の気密性をより向上させ、収納された品物１００が外部の空気に触れることをさらに抑制することができる。
【００２９】
実施の形態２．
以下、実施の形態１との相違点を中心に、断熱容器の構成を説明する。実施の形態１と同一又は相当する部分には同一の符号を付して、一部の説明を省略する。
【００３０】
図４は、実施の形態２における断熱容器の正面図である。図５は、実施の形態２における断熱容器の垂直断面図である。図６は、実施の形態２における断熱容器の平面図である。なお、図５は、図４における左右方向から見た断熱容器の垂直断面を示している。
【００３１】
図４から図６に示すように、実施の形態２において、外側容器１には、キャスター４、ストッパー５、伸縮式取っ手６、肩掛けベルト７及びクッション８が設けられていない。実施の形態２における断熱容器は、例えば、主に据え置き型の容器として用いられる。
【００３２】
図４から図６に示すように、実施の形態２において、外側容器１には、２つの蓋固定治具９及びパッキン１０が設けられている。蓋固定治具９は、図４から図６に図示しない蓋を外側容器１に固定するために用いられる。蓋固定治具９は、外側容器１の側面のうち上面開口付近に取り付けられている。パッキン１０は、外側容器１の上面のうち、上記の蓋と接する箇所に取り付けられている。
【００３３】
図４から図６に示すように、実施の形態２において、断熱容器は、１つの内側容器２を備えている。取り出し補助具３は、内側容器２の上面よりも上方に突出していない。取り出し補助具３は、例えば、内側容器２の上面に形成された穴状の取っ手である。側面開口は、内側容器２の側面のうち対向する２面のそれぞれに形成されている。
【００３４】
図４及び図５に示すように、実施の形態２において、内側容器２には、仕切部１１が設けられている。仕切部１１は、例えば、格子状に形成されている。仕切部１１の端部は、側面開口が形成された側面と面一になっている。内側容器２の内部空間は、仕切部１１によって複数の部屋に区画されている。２つの側面開口のそれぞれは、仕切部１１によって、部屋の数と同数の開口に分割されている。品物１００は、各部屋に分けて収納される。
【００３５】
実施の形態２において、内側容器２は、実施の形態１と同様に、上面開口を介して外側容器１に出し入れされる。内側容器２が外側容器１に収納されると、側面開口が形成された側面全体及び仕切部１１の端部は、外側容器１の内壁に接した状態となる。つまり、内側容器２が外側容器１に収納された状態において、分割された側面開口の全てが、外側容器１の内壁によって塞がれる。内側容器２が外側容器１に収納された状態において、各部屋の内部空間は互いに連続しない。
【００３６】
内側容器２及び仕切部１１の少なくとも表面は、熱伝導率の高い材料で形成されている。つまり、内側容器２の少なくとも上面、側面及び各部屋の内側の面は、互いに熱を伝えるように形成されている。内側容器２及び仕切部１１の熱伝導率は、少なくとも外側容器１の熱伝導率よりも高い。
【００３７】
図７は、実施の形態２における断熱容器の蓋の正面図である。図８は、実施の形態２における断熱容器の蓋の断面図である。図９は、実施の形態２における断熱容器の蓋の平面図である。なお、図８は、図７における左右方向から見た蓋の垂直断面を示している。
【００３８】
実施の形態２において、外側容器１は、上面開口を塞ぐ蓋１２を備えている。図７から図９に示すように、蓋１２には、冷却装置１３、放熱板１４、通気口１５、回路基板１６、電力供給プラグ１７、ケーブル固定治具１８及びパッキン１０が設けられている。蓋１２の内部には空間が形成されている。
【００３９】
冷却装置１３は、例えば、ペルチェ素子を利用したものである。冷却装置１３は、蓋１２の下面から下方に突出するように配置されている。放熱板１４は、冷却装置１３の上部に取り付けられている。放熱板１４は、蓋１２の内部空間に露出している。通気口１５は、蓋１２の上面に複数形成されている。蓋１２の内部空間は、通気口１５を介して外部に通じている。回路基板１６は、例えば、蓋１２の内部空間に配置されている。電力供給プラグ１７は、ケーブルを介して回路基板１６に接続されている。ケーブル固定治具１８は、例えば、蓋１２のいずれかの側面に設けられている。電力供給プラグ１７のケーブルは、使用しない時は、ケーブル固定治具１８に巻き掛けて収容される。パッキン１０は、蓋１２の下面のうち、外側容器１の上面と接する箇所に取り付けられている。
【００４０】
電力供給プラグ１７が電力供給源に接続されると、回路基板１６に電力が供給される。回路基板１６は、冷却装置１３を駆動させる。放熱板１４は、冷却装置１３の素子を冷却する。放熱板１４の熱は、通気口１５を介して外部に排出される。冷却装置１３の設定温度は、品物１００の種類及び断熱容器の周囲の気温等に応じて調整可能である。
【００４１】
蓋１２は、蓋固定治具９により、上面開口を塞いだ状態で外側容器１に固定される。冷却装置１３は、蓋１２が蓋固定治具９で固定されると、内側容器２の上面に接触する。蓋１２が蓋固定治具９で固定された状態で冷却装置１３が駆動すると、内側容器２が冷却される。内側容器２が冷却されると、熱伝導により仕切部１１も冷却される。仕切部１１が冷却されることで、内側容器２の各部屋に収納されている品物１００が冷却される。
【００４２】
冷却装置１３は、内側容器２に設けられていてもよい。また、冷却装置１３は、外側容器１及び内側容器２の双方に設けられていてもよい。これらの場合であっても、内側容器２及び仕切部１１の少なくとも表面に冷却装置１３が接触していれば、内側容器２の各部屋に収納されている品物１００が冷却される。
【００４３】
実施の形態２において、断熱容器は、実施の形態１と同様に、上面開口を有する外側容器１及び側面開口を有する内側容器２を備えている。内側容器２は、側面開口が形成された側面全体が外側容器１の内壁に接した状態で外側容器１に収納される。内側容器２は、側面開口が形成された側面が外側容器１の内壁に接した状態で上面開口を介して外側容器１から引き出される。このため、実施の形態１と同様に、断熱容器に収納されている品物１００を取り出す際に他の品物１００が外部の空気に触れることを抑制することができる。その結果、例えば、冷却された品物１００の取り出しを頻繁に行ったとしても、断熱容器の内部に残っている他の品物１００の温度を低温に維持することができる。
【００４４】
実施の形態２において、内側容器２は、実施の形態１と同様に、側面開口を塞ぐ扉を有していない。しかしながら、内側容器２が外側容器１に収納されていれば、側面開口は、外側容器１の内壁によって塞がれる。つまり、外側容器１を側面開口の扉として併用することが可能である。このため、実施の形態１と同様に、より簡単な構成で、断熱容器に収納された品物１００が外部の空気に触れることを抑制できる。
【００４５】
実施の形態２において、内側容器２には、内部空間を複数の部屋に区画する仕切部１１が設けられている。側面開口が形成された側面及び仕切部１１の端部は、内側容器２が外側容器１に収納された状態において、外側容器１の内壁に接する。これにより、収納される品物１００の形状及び配置に関係なく、内側容器２の内部に個別の密閉状態の空間が形成される。そして、品物１００を取り出す際に、目的とする品物１００が収納されている部屋を露出させるのに必要な移動量だけ内側容器２を引き出すことで、他の品物１００に触れる外部の空気が最小限に抑えられる。このため、実施の形態２によれば、断熱容器に収納されている品物１００を取り出す際に他の品物１００が外部の空気に触れることを抑制することができる。その結果、例えば、冷却された品物１００の取り出しを頻繁に行ったとしても、断熱容器の内部に残っている他の品物１００の温度を低温に維持することができる。
【００４６】
実施の形態２において、内側容器２及び仕切部１１の熱伝導率は、外側容器１の熱伝導率よりも高い。内側容器２の表面及び仕切部１１は、内側容器２の内部において温度の偏りが存在する場合に、温度の高い位置から温度の低い位置へ熱エネルギーを伝達する。このため、実施の形態２によれば、複数の部屋の間の温度差、内側容器２の上部と下部との温度差及び冷却装置１３と内側容器２との温度差を短時間で解消できる。その結果、空気の対流がなくとも内側容器２の内部の温度を迅速に均一化し、品物１００の温度管理を適切に行うことができる。
【００４７】
実施の形態２において、外側容器１及び内側容器２の少なくとも一方には、冷却装置１３が設けられている。冷却装置１３により生成された冷気は、外部の温かい空気よりも重いため、内側容器２が外側容器１から取り出されたとしても、上面開口から流出しにくい。このため、実施の形態２によれば、蓋１２の開閉及び品物１００の出し入れを行ったとしても、外側容器１の内部に冷気が残る。その結果、長時間にわたって品物１００を適正な管理状態に保つことができる。また、電力供給源を喪失した場合であっても、一定時間であれば品物１００の温度を適切な温度範囲に維持することができる。その結果、省エネルギーを実現しつつ品物１００を適正な管理状態に保つことができる。
【００４８】
実施の形態２において、内側容器２は、複数設けられていてもよい。この場合であっても、側面開口が形成されていない側面が、全ての内側容器２が外側容器１に収納された状態において外側容器１の内壁又は他の内側容器２の側面に隙間なく接するならば、断熱容器に収納された品物１００が外部の空気に触れることを抑制できる。
【００４９】
実施の形態２において、冷却装置１３の冷却方式は、品物１００の温度を適切な範囲に維持できるものであれば、ペルチェ式でなく圧縮式又は冷却剤等であってもよい。冷却装置１３を設置する位置は、蓋１２でなくともよい。冷却装置１３を蓋１２に設置しない場合、実施の形態１と同様に、内側容器２の上面で上面開口を塞ぐことで、内側容器２を上面開口の蓋として併用することが可能である。ただし、冷却装置１３は、断熱容器の重心線上に設置されるのが好ましい。また、冷却装置１３の冷却板又は冷気吹出口は、冷気が上から下へ移動するように、断熱容器内部の上側に配置されるのが好ましい。
【００５０】
実施の形態２において、電力供給プラグ１７の形状は、コンセントに差し込むタイプでなくともよい。電力供給プラグ１７は、例えば、ＵＳＢ型又はシガレットソケット型等であってもよい。また、断熱容器は、複数の型の電力供給プラグ１７を備えていてもよい。
【００５１】
実施の形態３．
以下、実施の形態１及び２との相違点を中心に、断熱容器の構成を説明する。実施の形態１及び２と同一又は相当する部分には同一の符号を付して、一部の説明を省略する。
【００５２】
図１０は、実施の形態３における断熱容器の斜視図である。
【００５３】
図１０に示すように、実施の形態３において、外側容器１には、肩掛けベルト７等の運搬用の部品が設けられていない。蓋１２には、冷却装置１３等が設けられていない。断熱容器は、例えば、２つの内側容器２を備えている。
【００５４】
実施の形態３において、内側容器２は、実施の形態１及び２と同様に、上面開口を介して外側容器１に出し入れされる。また、内側容器２には、実施の形態２と同様に、格子状の仕切部１１が設けられている。品物１００は、仕切部１１によって形成された各部屋に分けて収納される。内側容器２が外側容器１に収納されると、実施の形態２と同様に、側面開口が形成された側面及び仕切部１１の端部は、外側容器１の内壁に接した状態となる。
【００５５】
実施の形態３において、内側容器２及び仕切部１１の少なくとも表面は、実施の形態２と同様に、熱伝導率の高い材料で形成されている。内側容器２及び仕切部１１の熱伝導率は、少なくとも外側容器１の熱伝導率よりも高い。
【００５６】
実施の形態３において、断熱容器は、実施の形態１及び２と同様に、上面開口を有する外側容器１及び側面開口を有する内側容器２を備えている。内側容器２は、側面開口が形成された側面全体が外側容器１の内壁に接した状態で外側容器１に収納される。内側容器２は、側面開口が形成された側面が外側容器１の内壁に接した状態で上面開口を介して外側容器１から引き出される。このため、実施の形態１及び２と同様に、断熱容器に収納されている品物１００を取り出す際に他の品物１００が外部の空気に触れることを抑制することができる。その結果、例えば、冷却された品物１００の取り出しを頻繁に行ったとしても、断熱容器の内部に残っている他の品物１００の温度を低温に維持することができる。
【００５７】
実施の形態３において、内側容器２は、実施の形態１及び２と同様に、側面開口を塞ぐ扉を有していない。しかしながら、内側容器２が外側容器１に収納されていれば、側面開口は、外側容器１の内壁によって塞がれた状態となる。つまり、外側容器１を側面開口の扉として併用することが可能である。このため、実施の形態１及び２と同様に、より簡単な構成で、断熱容器に収納された品物１００が外部の空気に触れることを抑制できる。
【００５８】
実施の形態３において、内側容器２は、実施の形態１と同様に、複数設けられている。このため、実施の形態１と同様に、品物１００を整頓して収納するとともに、断熱容器に収納された品物１００が外部の空気に触れることを抑制できる。
【００５９】
実施の形態３において、内側容器２には、実施の形態２と同様に、内部空間を複数の部屋に区画する仕切部１１が設けられている。側面開口が形成された側面及び仕切部１１の端部は、内側容器２が外側容器１に収納された状態において、外側容器１の内壁に接する。このため、実施の形態２と同様に、断熱容器に収納されている品物１００を取り出す際に他の品物１００が外部の空気に触れることを抑制することができる。その結果、例えば、冷却された品物１００の取り出しを頻繁に行ったとしても、断熱容器の内部に残っている他の品物１００の温度を低温に維持することができる。
【００６０】
実施の形態３において、内側容器２及び仕切部１１の熱伝導率は、実施の形態２と同様に、外側容器１の熱伝導率よりも高い。このため、実施の形態２と同様に、複数の部屋の間の温度差及び内側容器２の上部と下部との温度差を短時間で解消できる。その結果、空気の対流がなくとも内側容器２の内部の温度を迅速に均一化し、品物１００の温度管理を適切に行うことができる。
【００６１】
実施の形態３において、外側容器１には、肩掛けベルト７等の運搬用の部品が設けられていない。また、蓋１２には、冷却装置１３等が設けられていない。しかしながら、外側容器１と内側容器２との関係に基づく効果及び仕切部１１に基づく効果は、実施の形態１又は２と同様に得られる。このため、実施の形態３によれば、実施の形態１又は２よりも簡単な構成で、断熱容器に収納された品物１００が外部の空気に触れることを抑制し、品物１００の温度を維持することができる。
【００６２】
実施の形態３において、外側容器１は、蓋１２を有していなくともよい。この場合、実施の形態１と同様に、内側容器２の上面で上面開口を塞ぐことで、内側容器２を上面開口の蓋として併用することが可能である。
【００６３】
実施の形態１、２及び３において、内側容器２と外側容器１との間にガイドレール及びストッパーを設けてもよい。ガイドレールが設けられている場合、内側容器２の出し入れをより円滑に行うことができる。ストッパーが設けられている場合、上方に引き出された内側容器２が意図せず外側容器１に収納されることを防止できる。
【００６４】
実施の形態２及び３において、仕切部１１の形状は、格子状でなくともよい。例えば、仕切部１１によって内側容器２の内部空間が複数の部屋に区画されていれば、内側容器２の内部に個別の密閉状態の空間を形成することができる。また、例えば、仕切部１１が内側容器２の内部空間を少なくとも上下に区画するものであれば、断熱容器の内部の上側にある品物が取り出される際に、下側にある品物が外部の空気に曝される可能性を低減することができる。
【００６５】
実施の形態２及び３において、内側容器２の内部に形成された各部屋に対応するそれぞれの開口を塞ぐように、引き出しを設置してもよい。この場合、引き出しの中に品物１００を収納すれば、品物１００を取り出す際に他の品物１００が外部の空気に触れることをさらに抑制することができる。
【００６６】
実施の形態１及び３において、内側容器２の個数は、１つのみであってもよい。この場合であっても、内側容器２が外側容器１に収納された状態において、側面開口が形成されていない側面の全てが外側容器１の内壁に隙間なく接すればよい。その結果、外側容器１の内部で内側容器２の位置がずれることを防ぎ、品物１００が外部の空気に触れることを抑制できる。
【００６７】
実施の形態１において、内側容器２には、仕切部１１が設けられていてもよい。この場合、実施の形態２又は３と同様に、断熱容器に収納されている品物１００を取り出す際に他の品物１００が外部の空気に触れることを抑制することができる。また、内側容器２及び仕切部１１の熱伝導率は、外側容器１の熱伝導率よりも高くともよい。この場合、実施の形態２又は３と同様に、内側容器２の内部における温度差を短時間で解消できる。
【００６８】
実施の形態１において、外側容器１は、蓋１２を有していてもよい。この場合、外部の空気が内側容器２の内部へ流入すること及び内側容器２の内部の空気が外部へ流出することをさらに抑制することができる。
【００６９】
実施の形態１及び３において、外側容器１及び内側容器２の少なくとも一方に冷却装置１３が設けられていてもよい。この場合、実施の形態２と同様に、長時間にわたって品物１００を適正な管理状態に保つことができる。
【００７０】
実施の形態２及び３において、外側容器１は、キャスター４等及び肩掛けベルト７等の少なくとも一方を有していてもよい。この場合、実施の形態１と同様に、断熱容器を容易に運搬することが可能となる。
【符号の説明】
【００７１】
１  外側容器
２  内側容器
３  取り出し補助具
４  キャスター
５  ストッパー
６  伸縮式取っ手
７  肩掛けベルト
８  クッション
９  蓋固定治具
１０  パッキン
１１  仕切部
１２  蓋
１３  冷却装置
１４  放熱板
１５  通気口
１６  回路基板
１７  電力供給プラグ
１８  ケーブル固定治具
１００  品物
【図１】
2017088177.tif 000003
【図２】
2017088177.tif 000004
【図３】
2017088177.tif 000005
【図４】
2017088177.tif 000006
【図５】
2017088177.tif 000007
【図６】
2017088177.tif 000008
【図７】
2017088177.tif 000009
【図８】
2017088177.tif 000010
【図９】
2017088177.tif 000011
【図１０】
2017088177.tif 000012
【手続補正書】
【提出日】平成29年2月27日(2017.2.27)
【手続補正１】
【補正対象書類名】特許請求の範囲
【補正対象項目名】全文
【補正方法】変更
【補正の内容】
【特許請求の範囲】
【請求項１】
上面に形成された上面開口を有する外側容器と、
側面に形成された側面開口を有し、前記外側容器の内壁によって前記側面開口が塞がれた状態で前記外側容器に収納され、前記側面開口が形成された側面が前記外側容器の内壁に接した状態で前記上面開口を介して前記外側容器から引き出される内側容器と、
を備え、
前記内側容器には、内部空間を区画する仕切部が設けられ、
前記側面開口が形成された側面及び前記仕切部の端部は、前記内側容器が前記外側容器に収納された状態において、前記外側容器の内壁に接する断熱容器。
【請求項２】
前記内側容器は、複数設けられ、
前記内側容器の側面のうち前記側面開口が形成されていない側面は、全ての前記内側容器が前記外側容器に収納された状態において、前記外側容器の内壁又は他の前記内側容器の側面に接する請求項１に記載の断熱容器。
【請求項３】
前記内側容器は、上面に開口を有さず、
前記上面開口は、前記内側容器が前記外側容器に収納された状態において、前記内側容器の上面によって塞がれる請求項１又は２に記載の断熱容器。
【請求項４】
前記仕切部の熱伝導率は、前記外側容器の熱伝導率よりも高い請求項１から３のいずれか１項に記載の断熱容器。
【請求項５】
前記外側容器及び前記内側容器の少なくとも一方に冷却装置が設けられた請求項１から４のいずれか１項に記載の断熱容器。
【請求項６】
前記外側容器は、底面に取り付けられたキャスター及び側面に取り付けられた肩掛けベルトの少なくとも一方を有する請求項１から５のいずれか１項に記載の断熱容器。
【請求項７】
上面に形成された上面開口を有する外側容器と、
側面に形成された側面開口を有し、前記外側容器の内壁によって前記側面開口が塞がれた状態で前記外側容器に収納され、前記側面開口が形成された側面が前記外側容器の内壁に接した状態で前記上面開口を介して前記外側容器から引き出される内側容器と、
を備え、
前記内側容器は、複数設けられ、
前記内側容器の側面のうち前記側面開口が形成されていない側面は、全ての前記内側容器が１つの前記外側容器に収納された状態において、前記外側容器の内壁又は他の前記内側容器の側面に接する断熱容器。
【請求項８】
上面に形成された上面開口を有する外側容器と、
側面に形成された側面開口を有し、前記外側容器の内壁によって前記側面開口が塞がれた状態で前記外側容器に収納され、前記側面開口が形成された側面が前記外側容器の内壁に接した状態で前記上面開口を介して前記外側容器から引き出される内側容器と、
を備え、
前記内側容器には、内部空間を区画する仕切部が設けられ、
前記仕切部の熱伝導率は、前記外側容器の熱伝導率よりも高い断熱容器。
【手続補正２】
【補正対象書類名】明細書
【補正対象項目名】０００６
【補正方法】変更
【補正の内容】
【０００６】
本発明に係る断熱容器は、上面に形成された上面開口を有する外側容器と、側面に形成された側面開口を有し、外側容器の内壁によって側面開口が塞がれた状態で外側容器に収納され、側面開口が形成された側面が外側容器の内壁に接した状態で上面開口を介して外側容器から引き出される内側容器と、を備え、内側容器には、内部空間を区画する仕切部が設けられ、側面開口が形成された側面及び仕切部の端部は、内側容器が外側容器に収納された状態において、外側容器の内壁に接するものである。
また、本発明に係る断熱容器は、上面に形成された上面開口を有する外側容器と、側面に形成された側面開口を有し、外側容器の内壁によって側面開口が塞がれた状態で外側容器に収納され、側面開口が形成された側面が外側容器の内壁に接した状態で上面開口を介して外側容器から引き出される内側容器と、を備え、内側容器は、複数設けられ、内側容器の側面のうち側面開口が形成されていない側面は、全ての内側容器が１つの外側容器に収納された状態において、外側容器の内壁又は他の内側容器の側面に接するものである。
また、本発明に係る断熱容器は、上面に形成された上面開口を有する外側容器と、側面に形成された側面開口を有し、外側容器の内壁によって側面開口が塞がれた状態で外側容器に収納され、側面開口が形成された側面が外側容器の内壁に接した状態で上面開口を介して外側容器から引き出される内側容器と、を備え、内側容器には、内部空間を区画する仕切部が設けられ、仕切部の熱伝導率は、外側容器の熱伝導率よりも高いものである。